【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
爆発物を試験するための検査試験装置であって、
本体と、前記本体が、ドッキング部を有し；
着脱可能な方法で前記本体に前記ドッキング部で結合されるように適合された平坦で着脱可能なスワブ・ユニットのサンプル・パッドと；
第１の爆発物検出試薬と；
前記本体に作動可能に結合された第１の試薬ホルダー及びディスペンサーであって、前記第１の爆発物検出試薬を含むと共に、前記スワブ・ユニットのサンプル・パッドが前記本体に前記ドッキング部で結合されたときに、前記第１の爆発物検出試薬を前記スワブ・ユニットに供給するように配置される前記第１の試薬ホルダー及びディスペンサーと；
第２の爆発物検出試薬と；
前記本体に作動可能に結合された第２の試薬ホルダー及びディスペンサーであって、前記第２の爆発物検出試薬を含むと共に、前記スワブ・ユニットのサンプル・パッドが前記本体に前記ドッキング部で結合されたときに、前記第２の爆発物検出試薬を前記スワブ・ユニットのサンプル・パッドに供給するように配置される第２の試薬ホルダー及びディスペンサーと；
を備える、爆発物を試験するための検査試験装置。
【請求項２】
前記スワブ・ユニットのサンプル・パッドが、側方向流動の微小孔性の膜を有する、請求項１に記載の、爆発物を試験するための検査試験装置。
【請求項３】
前記スワブ・ユニットのサンプル・パッドが、ポリエチレン球融合の側方向流動の膜を有する、請求項１に記載の、爆発物を試験するための検査試験装置。
【請求項４】
前記スワブ・ユニットのサンプル・パッドが、微小孔性のセルロース膜を有する、請求項１に記載の、爆発物を試験するための検査試験装置。
【請求項５】
前記スワブ・ユニットのサンプル・パッドが、微小孔性の硝酸セルロース膜を有する、請求項１に記載の、爆発物を試験するための検査試験装置。
【請求項６】
前記スワブ・ユニットのサンプル・パッドが、前記第１の試薬ホルダー及びディスペンサーからの前記第１の爆発物検出試薬のマイグレーションと、前記第２の試薬ホルダー及びディスペンサーからの前記第２の爆発物検出試薬のマイグレーションとを提供する微小孔性の膜を有する、請求項１に記載の、爆発物を試験するための検査試験装置。
【請求項７】
前記第１の爆発物検出試薬が、マイゼンハイマー錯体を含む、請求項１に記載の、爆発物を試験するための検査試験装置。
【請求項８】
前記第２の爆発物検出試薬が、グリース試薬を含む、請求項１に記載の、爆発物を試験するための検査試験装置。
【請求項９】
第３の爆発物検出試薬と前記本体に作動可能に結合された第３の試薬ホルダー及びディスペンサーとを有し、前記第３の試薬ホルダー及びディスペンサーが、前記第３の爆発物検出試薬を含むと共に、前記スワブ・ユニットのサンプル・パッドが前記本体に前記ドッキング部で結合されたときに、前記第３の爆発物検出試薬を前記スワブ・ユニットのサンプル・パッドに供給するように配置される、請求項１に記載の、爆発物を試験するための検査試験装置。
【請求項１０】
前記第３の爆発物検出試薬が、ネスラー試薬を含む、請求項９に記載の、爆発物を試験するための検査試験装置。
【請求項１１】
追加の爆発物検出試薬と前記本体に作動可能に結合された追加の試薬ホルダー及びディスペンサーとを有し、前記追加の試薬ホルダー及びディスペンサーが、前記追加の爆発物検出試薬を含むと共に、前記スワブ・ユニットのサンプル・パッドが前記本体に前記ドッキング部で結合されたときに、前記追加の爆発物検出試薬を前記スワブ・ユニットのサンプル・パッドに供給するように配置される、請求項１に記載の、爆発物を試験するための検査試験装置。
【請求項１２】
前記追加の爆発物検出試薬が、チモール試薬を含む、請求項１１に記載の、爆発物を試験するための検査試験装置。
【請求項１３】
追加の爆発物検出試薬と前記本体に作動可能に結合された追加の試薬ホルダー及びディスペンサーとを有し、前記追加の試薬ホルダー及びディスペンサーが、前記追加の爆発物検出試薬を含むと共に、前記スワブ・ユニットのサンプル・パッドが前記本体に前記ドッキング部で結合されたときに、前記追加の爆発物検出試薬を前記スワブ・ユニットのサンプル・パッドに供給するように配置される、請求項１１に記載の、爆発物を試験するための検査試験装置。
【請求項１４】
前記追加の爆発物検出試薬が、ジフェニルアミン／Ｈ2ＳＯ4を含む、請求項１３に記載の、爆発物を試験するための検査試験装置。
【請求項１５】
補助の爆発物検出試薬と前記本体に作動可能に結合された補助の試薬ホルダー及びディスペンサーとを有し、前記補助の試薬ホルダー及びディスペンサーが、前記補助の爆発物検出試薬を含むと共に、前記スワブ・ユニットのサンプル・パッドが前記本体に前記ドッキング部で結合されたときに、前記補助の爆発物検出試薬を前記スワブ・ユニットのサンプル・パッドに供給するように配置される、請求項１に記載の、爆発物を試験するための検査試験装置。
【請求項１６】
前記補助の爆発物検出試薬が、エタノール中のテトラ−ｎ−ブチルアンモニウムハイドロキシド又は水酸化カリウムを含む、請求項１５に記載の、爆発物を試験するための検査試験装置。
【請求項１７】
前記第１の試薬ホルダー及びディスペンサーが、アンプルを備える、請求項１に記載の、爆発物を試験するための検査試験装置。
【請求項１８】
前記第１の試薬ホルダー及びディスペンサーが、折るタイプのアンプルを備える、請求項１に記載の、爆発物を試験するための検査試験装置。
【請求項１９】
前記第１の試薬ホルダー及びディスペンサーが、折るタイプのガラス製アンプルを備える、請求項１に記載の、爆発物を試験するための検査試験装置。
【請求項２０】
前記第１の試薬ホルダー及びディスペンサーが、スクイーズタイプのアンプルを備える、請求項１に記載の、爆発物を試験するための検査試験装置。
【請求項２１】
前記スワブ・ユニットのサンプル・パッド上に情報領域を有する、請求項１に記載の、爆発物を試験するための検査試験装置。
【請求項２２】
前記スワブ・ユニットのサンプル・パッド上に呈色反応表示器を有する、請求項１に記載の、爆発物を試験するための検査試験装置。
【請求項２３】
ヒーターを有し、前記本体と前記スワブ・ユニットのサンプル・パッドが、前記ヒーターに作動的に結合されるように適合される、請求項１に記載の、爆発物を試験するための検査試験装置。
【請求項２４】
前記第１の爆発物検出試薬と前記第２の爆発物検出試薬とを混合するために、前記第１の試薬ホルダー及びディスペンサーと前記第２の試薬ホルダー及びディスペンサーとが、システムに結合されている、請求項１に記載の、爆発物を試験するための検査試験装置。
【請求項２５】
側方向流動膜のスワブ・ユニットを準備する工程と、
第１の爆発物検出試薬を準備する工程と、
第２の爆発物検出試薬を準備する工程と、
前記側方向流動膜のスワブ・ユニットで爆発物の存在が疑わしい表面をスワイプする工程と、
前記側方向流動膜のスワブ・ユニットに前記第１の爆発物検出試薬を供給する工程であって、前記側方向流動膜のスワブ・ユニットに呈色があれば、爆発物の試験は陽性であり、呈色がなければ、この時点では前記爆発物の試験は陰性である、工程と、
前記側方向流動膜のスワブ・ユニットに前記第２の爆発物検出試薬を供給する工程であって、前記側方向流動膜のスワブ・ユニットに呈色があれば、前記爆発物の試験は陽性であり、呈色がなければ、前記爆発物の試験は陰性である、工程と、を含む、爆発物の存在が疑わしい表面を試験するための検査試験方法。
【請求項２６】
第３の爆発物検出試薬を準備する工程と、前記側方向流動膜のスワブ・ユニットに前記第３の爆発物検出試薬を供給する工程であって、前記側方向流動膜のスワブ・ユニットに呈色があれば、爆発物の試験は陽性であり、呈色がなければ、爆発物の試験は陰性である工程とを含む、請求項２５に記載の、爆発物の存在が疑わしい表面を試験するための検査試験方法。
【請求項２７】
追加の爆発物検出試薬を準備する工程と、前記側方向流動膜のスワブ・ユニットに前記追加の爆発物検出試薬を供給する工程であって、前記側方向流動膜のスワブ・ユニットに呈色があれば、前記爆発物の試験は陽性であり、呈色がなければ、前記爆発物の試験は陰性である工程とを含む、請求項２５に記載の、爆発物の存在が疑わしい表面を試験するための検査試験方法。
【請求項２８】
前記側方向流動膜のスワブ・ユニットに前記第１の爆発物検出試薬と前記第２の爆発物検出試薬とを供給する前に、前記第１の爆発物検出試薬と前記第２の爆発物検出試薬とを混合する工程を含む、請求項２５に記載の、爆発物の存在が疑わしい表面を試験するための検査試験方法。
【請求項２９】
前記側方向流動膜のスワブ・ユニットを加熱する工程を含む、請求項２５に記載の、爆発物の存在が疑わしい表面を試験するための検査試験方法。